(57)【特許請求の範囲】
【請求項１】
室外に設置された温水ボイラユニットと、室内に設置されたファンコンベクタと、前記温水ボイラユニットから導出して家屋の壁面等を貫通した室外側温水管と、前記ファンコンベクタに連なる室内側温水管と、これら両温水管を着脱自在に接続する雄雌型のバルブを備えた温水コンセントと、前記雄雌型のバルブ内に設けられ、同雄雌型のバルブを接続することによって開き、離脱することによって閉じる一対の閉止弁とからなる温水暖房機において、
前記雄雌型のバルブ内に、同バルブ内を流通する温水に渦流を起生する起生手段を設けたことを特徴とする温水暖房機。
【請求項２】
前記起生手段が、少なくとも一方の前記閉止弁に突設した凸片で回転自在に軸支されたスクリューからなり、同スクリューの回転により前記バルブ内を流通する温水に渦流を起生したことを特徴とする請求項１記載の温水暖房機。
【請求項３】
前記スクリューが、前記バルブ内の水路に沿った円筒部と、同円筒部の外周面に立設し、前記水路に対して傾斜角を有した複数の羽根とからなり、同羽根および、または前記円筒部を、前記水路の流入側を低くしたテーパ状に形成したことを特徴とする請求項１または請求項２記載の温水暖房機。
【請求項４】
前記起生手段が、前記バルブの周壁に形成された螺旋形状部からなり、同螺旋形状部により前記バルブ内を流通する温水に渦流を起生したことを特徴とする請求項１記載の温水暖房機。
【請求項５】
前記螺旋形状部が、前記バルブの周壁に凸設した凸条部からなることを特徴とする請求項４記載の温水暖房機。
【請求項６】
前記螺旋形状部が、前記バルブの周壁に凹設した凹条部からなることを特徴とする請求項４記載の温水暖房機。
【請求項７】
前記温水コンセントに、電源コンセントを付設したことを特徴とする請求項１記載の温水暖房機。
【発明の詳細な説明】
【０００１】
【発明の属する技術分野】
本発明は、温水暖房機に係わり、より詳細には、室外側温水管および室内側温水管を接続する雄雌型のバルブを備えた温水コンセントを改良して、暖房の効率が低下しないよう防止した構造に関する。
【０００２】
【従来の技術】
従来の温水暖房機は、例えば図４（Ａ）および図４（Ｂ）で示すように、室外に温水ボイラユニット１を設置し、室内にファンコンベクタ１１を設置し、前記温水ボイラユニット１から室外側温水管２を導出させて家屋の壁体３等を貫通する一方、前記ファンコンベクタ１１に連なる室内側温水管１０を設け、同室内側温水管１０と前記室外側温水管２とを着脱自在に接続する雄雌型のバルブ５および６を備えた温水コンセント４を前記壁体３に室内側から取り付け、前記雄雌型のバルブ５および６内に、同雄雌型のバルブ５および６を接続することによって開き、離脱することによって閉じるようにした一対の閉止弁５ｂおよび６ｂを設けてなる構成であった。
【０００３】
前記構成で、前記両温水管２および１０を接続した際、前記バルブ５および６内の設けた前記閉止弁５ｂおよび６ｂを開いて温水を流通させ、前記室内側温水管１０を取り外した際、前記閉止弁５ｂおよび６ｂで前記バルブ５および６を閉じるようにして、前記ファンコンベクタ１１を室内から片づけたい季節には、前記雌型のバルブ５から雄型のバルブ６を離脱させることによって、前記温水コンセント４から前記室内側温水管１０を取り外すようにしていた。
【０００４】
前記閉止弁５ｂおよび６ｂの動きについて、図４（Ｂ）に基づいて説明すると、前記両温水管２および１０を接続した際、前記雌型のバルブ５に設けた閉止弁５ｂは、他側に突出した凸片５ｃおよびガイド部５ｄを有した構成となっており、雌型弁ケース５ａの一側に設けられた弁戻しばね７によって常時押圧されている。
【０００５】
この時、前記閉止弁５ｂは、雄型弁ケース６ａの一側先端で前記ガイド部５ｄを前記弁戻しばね７に抗して押し返されることによって、前記雌型弁ケース５ａ内の水路５ｅを前記雄型弁ケース６ａ側に向けて開くようになっている。
【０００６】
また、同時に、前記弁戻しばね７によって押圧されている前記閉止弁５ｂの凸片５ｃで、同凸片５ｃに対向して当接させた前記閉止弁６ｂの一側に突出した凸片６ｃを押圧することによって、同閉止弁６ｂが開いて前記雄型弁ケース６ａの水路６ｄを前記雌型弁ケース５ａの水路５ｅに接続させるようになっており、前記両バルブ５および６内を温水が流通できるようになる。
その際、前記閉止弁６ｂは、前記雄型弁ケース６ａの他側に設けられた弁戻しばね８によって常時押圧されている。
【０００７】
次に、前記構成で、前記バルブ５からバルブ６を離脱させることによって前記温水コンセント４から前記室内側温水管１０を取り外した際、前記弁戻しばね７の押圧力によって前記閉止弁５ｂで前記水路５ｅを閉じ、同時に、前記弁戻しばね８の押圧力によって前記閉止弁６ｂで前記水路６ｄを閉じることにより、これら両水路５ｅおよび６ｄから温水が漏れることがないようにしている。
【０００８】
しかしながら、前記構成においては、前記両温水管２および１０を接続した際、前記両閉止弁５ｂおよび６ｂを有する前記雄雌型のバルブ５および６によって前記水路５ｅおよび６ｄの断面積が小さくなる構造であることから、温水が効率よく流通できなくなって暖房能力が低下してしまうという問題を有していた。
【０００９】
【発明が解決しようとする課題】
本発明はこのような問題点に鑑みなされたもので、温水を効率よく流通させることによって、暖房能力が低下しないよう防止した温水暖房機を提供することを目的とする。
【００１０】
【課題を解決するための手段】
本発明は上記の課題を解決するためになされたものであり、室外に設置された温水ボイラユニットと、室内に設置されたファンコンベクタと、前記温水ボイラユニットから導出して家屋の壁面等を貫通した室外側温水管と、前記ファンコンベクタに連なる室内側温水管と、これら両温水管を着脱自在に接続する雄雌型のバルブを備えた温水コンセントと、前記雄雌型のバルブ内に設けられ、同雄雌型のバルブを接続することによって開き、離脱することによって閉じる一対の閉止弁とからなる温水暖房機において、
前記雄雌型のバルブ内に、同バルブ内を流通する温水に渦流を起生する起生手段を設けた構成としている。
【００１１】
また、前記起生手段が、少なくとも一方の前記閉止弁に突設した凸片で回転自在に軸支されたスクリューからなり、同スクリューの回転により前記バルブ内を流通する温水に渦流を起生した構成としている。
【００１２】
また、前記スクリューが、前記バルブ内の水路に沿った円筒部と、同円筒部の外周面に立設し、前記水路に対して傾斜角を有した複数の羽根とからなり、同羽根および、または前記円筒部を、前記水路の流入側を低くしたテーパ状に形成した構成としている。
【００１３】
また、前記起生手段が、前記バルブの周壁に形成された螺旋形状部からなり、同螺旋形状部により前記バルブ内を流通する温水に渦流を起生した構成としている。
【００１４】
また、前記螺旋形状部が、前記バルブの周壁に凸設した凸条部からなる構成としている。
【００１５】
また、前記螺旋形状部が、前記バルブの周壁に凹設した凹条部からなる構成としている。
【００１６】
更に、前記温水コンセントに、電源コンセントを付設した構成としている。
【００１７】
【発明の実施の形態】
以上のように構成したので、水路が狭い雄雌型のバルブ内を温水が効率よく流通できるようになって暖房能力が低下しないよう防止できるとともに、温水コンセントに電源コンセントを付設して、室内側温水管および電源コードを温水コンセントで着脱できるようにした温水暖房機となる。
【００１８】
【実施例】
以下、図面に基づいて本発明による実施例を詳細に説明する。
図１（Ａ）および図１（Ｂ）と、図２と、図３（Ａ）および図３（Ｂ）とにおいて、１は室外に設置された温水ボイラユニット、２は同温水ボイラユニット１から導出した室外側温水管、３は同室外側温水管２が貫通する家屋の壁体、４は同壁体３に室内側から取り付けた温水コンセントである。
前記温水コンセント４には雄雌型のバルブ６および５が設けられ、同バルブ６および５によって前記室外側温水管２と、後述するファンコンベクタに連なる室内側温水管とを着脱自在に接続するようにした構成となっている。
【００１９】
前記雌型のバルブ５は、前記室外側温水管２に接続されて水路５ｅを形成し、長手方向の略中央部の周壁から、後述する閉止弁に対応して、内方に突出させた環状の凸部５ｆを有する雌型弁ケース５ａと、同雌型弁ケース５ａ内に設けられ、他側に突出した凸片５ｃおよびガイド部５ｄを有する閉止弁５ｂと、同閉止弁５ｂを前記雌型弁ケース５ａの一側から常時押圧する弁戻しばね７とからなる構成となっている。
【００２０】
一方、前記雄型のバルブ６は、他側に形成した開口部に後述する室内側温水管に接続して水路６ｄを形成し、一側外周部に複数のパッキンを備え、内周部に筒状部６ｅを形成して前記雌型のバルブ５に嵌入するようにした雄型弁ケース６ａと、同雄型弁ケース６ａ内に設けられ、一側に突出した凸片６ｃを有する閉止弁６ｂと、同閉止弁６ｂを前記雄型弁ケース６ａの他側から常時押圧する弁戻しばね８とからなり、前記凸片６ｃには後述するスクリューが回転自在に設けられており、同スクリューが回転することによって、前記水路５ｅおよび６ｄを流通する温水が渦流となって効率よく循環できるようにした構成となっている。
なお、前記弁戻しばね８は、前記弁戻しばね７に比してやや弱い力によって前記開閉弁６ｂを押圧した構成となっている。
【００２１】
９は前記温水コンセント４に付設された電源コンセントで、同電源コンセント９を付設したことによって、後述するファンコンベクタを室内に設置した際、前記温水コンセント４に後述する室内側温水管を接続するとともに、電源コード（図示せず）を連続して接続できるようになるため、使用者にとって便利な構成となる。
【００２２】
１０は一端が前記温水コンセント４に接続され、他端が後述するファンコンベクタに接続される室内側温水管で、同室内側温水管１０は、一端にねじ部１０ｂ  およびフランジ１０ａ  からなるアダプタを有し、同アダプタのねじ部１０ｂ  を前記雄型弁ケース６ａの他側の開口部に形成したねじに螺着して固定されるようにした構成となっている。
【００２３】
１１は室内に設置されたファンコンベクタで、同ファンコンベクタ１１は、前記室内側温水管１０の他端が接続され、前記温水ボイラユニット１から温水が供給されて室内を暖房するようにした構成となっている。
【００２４】
１２は前記雄型のバルブ６内を流通する温水に渦流を起生する起生手段として前記凸片６ｃに回転自在に設けられたスクリューで、同スクリュー１２は、前記両水路５ｅおよび６ｄに沿った円筒部と、同円筒部の外周面に立設し、前記両水路５ｅおよび６ｄに対して傾斜角を有した複数の羽根１２ａ  とからなり、前記筒状部６ｅ内に設けられて、前記羽根１２ａ  および、または前記円筒部を、前記両水路５ｅおよび６ｄの流入側を低くしたテーパ状に形成されている。
【００２５】
前記構成で、前記羽根１２ａ  を有する前記スクリュー１２をテーパ状に形成したことにより、同スクリュー１２に向けて温水が効率よく流入するとともに、同スクリュー１２が回転することによって温水が渦流となって前記水路５ｅおよび６ｄを効率よく流通し、前記ファンコンベクタ１１の暖房能力を低下させないよう防止できるようにした構造となる。
【００２６】
また、図示はしないが、前記スクリュー１２を前記凸片５ｃ側にも回転自在に設けることによって、前記渦流が前記水路５ｅおよび６ｄをより効率よく流通できるようにした構造となる。
【００２７】
更に、前記構成で、他の起生手段として前記水路５ｅおよび６ｄの周壁に螺旋形状部５ｇおよび６ｆを設けて、同螺旋形状部５ｇおよび６ｆと、前記スクリュー１２による起生手段とを併用することによって、温水に渦流を起生する効果をより高めることになり、温水が前記水路５ｅおよび６ｄを更に効率よく流通できるようにした構造となる。
【００２８】
前記螺旋形状部５ｇおよび６ｆは、前記水路５ｅおよび６ｄの周壁に凸設した凸条部からなる螺旋形状で形成することによって温水を効果的に渦巻流に形成できるようになり、また、凹設した凹条部からなる螺旋形状で形成することによって前記水路５ｅおよび６ｄの断面積を小さくすることなく温水に効果的に渦流を起生できて、より効率よく温水を流通できるようにした構造となる。
【００２９】
以上の構成により、図１（Ａ）および図１（Ｂ）と、図２と、図３（Ａ）および図３（Ｂ）とで示すように、前記水路５ｅおよび６ｄに前記スクリュー１２と、前記螺旋形状部５ｇおよび６ｆとを設けたことにより、前記水路５ｅおよび６ｄを流通する温水に効果的に渦流を起生することによって、温水が前記水路５ｅおよび６ｄを効率よく流通できるようにした温水暖房機となる。
因みに、温水が渦流になったことによって前記水路５ｅおよび６ｄを効率よく流通するようになるという現象は、例えば、ボトルネックを有する瓶類から一気に液体を流出させる際、この液体に渦流を起生すればより短時間で流出できるようになるのと同様の現象となる。
【００３０】
【発明の効果】
以上説明したように、本発明の構成によれば、室外側温水管と室内側温水管とを接続した際、水路の狭い雄雌型のバルブ内を温水が効率よく流通できるようになって暖房能力が低下しないよう防止できるとともに、温水コンセントに電源コンセントを付設して、前記室内側温水管および電源コードを連続的に前記温水コンセントで着脱できるようにした便利な温水暖房機となる。
【図面の簡単な説明】
【図１】本発明による温水暖房機の説明図で、（Ａ）は斜視図であり、（Ｂ）は要部断面図である。
【図２】本発明による温水暖房機の要部拡大断面図である。
【図３】本発明による温水暖房機の要部説明図で、（Ａ）は雌型弁ケースの断面図であり、（Ｂ）は雄型弁ケースの断面図である。
【図４】従来例による温水暖房機の説明図で、（Ａ）は斜視図であり、（Ｂ）は要部断面図である。
【符号の説明】
１  温水ボイラユニット
２  室外側温水管
３  壁体
４  温水コンセント
５  雌型バルブ
５ａ  雌型弁ケース
５ｂ  雌型バルブの閉止弁
５ｃ  雌型バルブの閉止弁の凸片
５ｄ  雌型バルブの閉止弁のガイド部
５ｅ  雌型のバルブの水路
５ｆ  凸部
５ｇ，６ｆ  螺旋形状部
６  雄型のバルブ
６ａ  雄型弁ケース
６ｂ  雄型バルブの閉止弁
６ｃ  雄型バルブの閉止弁の凸片
６ｄ  雄型のバルブの水路
６ｅ  筒状部
７，８  弁戻しばね
９  電源コンセント
１０  室内側温水管
１０ａ    フランジ
１０ｂ    ねじ部
１１  ファンコンベクタ
１２  スクリュー
１２ａ    羽根
【図１】
0003582212.tif 000002
【図２】
0003582212.tif 000003
【図３】
0003582212.tif 000004
【図４】
0003582212.tif 000005